(57)【要約】  家具ヒンジ（１）は、サイド部品（３）が設けられる取り付けプレート（２）と、支持レバー（５）およびガイドレバー（６）を介してサイド部品（３）に枢動可能に取り付けられるヒンジ部品（４）とを備え、ヒンジ部品（４）の閉動作を弱めるために、支持レバー（５）によって移動できる少なくとも１つのダンピング要素（１１，１２，１４）が設けられる。この場合、少なくとも１つのダンピング要素（１１，１２，１４）は、支持レバー（５）の回転軸（８）が延在する領域で支持レバー（５）に隣接してサイド部品（３）上に配置され、それにより、ダンピング要素の付加によってサイド部品（３）と対向して位置する側でヒンジ部品（４）が延在しないため、コンパクトな構造をもたらす。【選択図】  図１
2010501759.tif 000002
【特許請求の範囲】
【請求項１】
サイド部品（３）が設けられる取り付けプレート（２）と、
支持レバー（５）およびガイドレバー（６）を介して前記サイド部品（３）に枢動可能に取り付けられるヒンジ部品（４）と
を備え、
前記ヒンジ部品（４）の閉動作を弱めるために、前記支持レバー（５）によって移動できる少なくとも１つのダンピング要素（１１，１２，１４）が設けられる家具ヒンジ（１）において、
前記少なくとも１つのダンピング要素（１１，１２，１４）が、前記支持レバー（５）の回転軸（８）の延長領域で前記支持レバー（５）に隣接して前記サイド部品（３）上に配置されることを特徴とする家具ヒンジ。
【請求項２】
前記少なくとも１つのダンピング要素には、前記支持レバー（５）の動作によって前記支持レバー（５）の回転軸（７，８）の方向で移動され得る摺動体（１１）が設けられることを特徴とする請求項１に記載の家具ヒンジ。
【請求項３】
前記摺動体（１１）が、前記ダンピング要素のタペット（１２）の接触面（１３）上に載置することを特徴とする請求項２に記載の家具ヒンジ。
【請求項４】
前記タペット（１２）には前記摺動体に抗する張力がスプリングによって予め付与されることを特徴とする請求項３に記載の家具ヒンジ。
【請求項５】
前記接触面（１３）が前記支持レバー（５）の回転軸（８）の方向で斜めに配置され、前記タペット（１２）が前記摺動体（１１）に対して略垂直に移動できることを特徴とする請求項３または４に記載の家具ヒンジ。
【請求項６】
前記ダンピング要素（１１，１２，１４）がそれぞれ前記支持レバー（５）の両側に配置されることを特徴とする請求項１〜５のいずれか一項に記載の家具ヒンジ。
【請求項７】
前記ダンピング要素がリニアダンパ、好ましくは流体ダンパを備えることを特徴とする請求項１〜６のいずれか一項に記載の家具ヒンジ。
【請求項８】
エアの通過を可能にするための少なくとも１つのダクトが前記タペット（１２）に設けられることを特徴とする請求項１〜７のいずれか一項に記載の家具ヒンジ。
【請求項９】
前記摺動体（１１）がボールとして配置されることを特徴とする請求項１〜８のいずれか一項に記載の家具ヒンジ。
【請求項１０】
前記タペット（１２）を前記ヒンジ部品（４）上に配置されるレセプタクル（１５）内に挿入できることを特徴とする請求項１〜９のいずれか一項に記載の家具ヒンジ。
【発明の詳細な説明】
【技術分野】
【０００１】
本発明は、サイド部品が設けられる取り付けプレートと、支持レバーおよびガイドレバーを介してサイド部品に枢動可能に取り付けられるヒンジ部品とを備え、ヒンジ部品の閉動作を弱めるために、支持レバーによって移動できる少なくとも１つのダンピング（運動制限）要素が設けられる家具ヒンジに関する。
【背景技術】
【０００２】
枢動動作を弱めるための装置はＥＰ  １３５９２７５から知られており、このＥＰ  １３５９２７５では、取り付けアームが家具カーカスに固定されるとともに、ヒンジ部品が取り付けアームに枢動可能に保持される。ヒンジ部品は、取り付けアームからそれた側にダンピング要素を備えており、このダンピング要素は、可動家具部品の凹部によって受けられる。この家具ヒンジにおける不都合な態様は、全体のサイズが比較的大きく、また、ダンピング要素の取り付けが複雑で且つ多くのスペースを必要とするという点である。
【発明の概要】
【発明が解決しようとする課題】
【０００３】
したがって、本発明の目的は、取り付けが容易で且つコンパクトな構造を有する家具ヒンジを提供することである。
【課題を解決するための手段】
【０００４】
この目的は、請求項１の特徴を有する家具ヒンジによって達成される。
【０００５】
本発明によれば、少なくとも１つのダンピング要素は、支持レバーの回転軸の延長領域で支持レバーに隣接してサイド部品上に配置される。結果として、これにより、ヒンジ部品は、ダンピング要素の付加によってサイド部品の反対の側へと延びない。ダンピング要素は支持レバーの側方に隣接して配置されており、それにより、コンパクトな構造が得られる。ダンピング要素はヒンジ部品と一体を成すことができ、それにより、家具ヒンジは依然として取り付けが容易なままである。
【０００６】
本発明の好ましい実施形態によれば、少なくとも１つのダンピング要素には、支持レバーの動作によって支持レバーの回転軸の方向で移動され得る摺動体が設けられる。したがって、支持レバーは、閉位置の直前で摺動体を移動させることができ、それにより、閉動作を弱めることができる。ダンピング効果は閉状態の直前にだけ得られ、そのため、開放範囲の大部分にわたって障害無くヒンジ部品の動作を行なうことができる。ダンピングは、例えば家具ドアがバタンと閉まるのを回避するため、閉位置の直前でのみ行なわれる。摺動体は、ダンピング要素のタペットの接触面上に載置できることが好ましい。タペットには摺動体に抗する張力をスプリングによって予め付与することができ、それにより、ヒンジ部品の開放中に、スプリングによって摺動体が再び伸張位置へ移動される。
【０００７】
接触面は、支持レバーの回転軸の方向で斜めに配置されることが好ましい。この場合、タペットを例えば摺動体に対して略垂直に移動させることができ、それにより、特にコンパクトな構造が得られる。これは、そのとき、摺動体が回転軸の方向に移動される一方で、タペットが動作を弱めるために回転軸に対して垂直に移動されるからである。
【０００８】
家具ヒンジの好ましいダンピング特性を有する特にコンパクトな配置のため、支持レバーによる力の対称な導入が起こるように、ダンピング要素が支持レバーの両側に設けられることが好ましい。これにより、回転軸に応力を加える場合がある横方向の負荷が防止される。
【０００９】
十分なダンピング効果を与えるために、前記ダンピング要素は、リニアダンパ、好ましくは流体ダンパを備えることができる。僅かな数の構成部品だけを用いてダンピング要素を形成するため、可動タペットは、空気の通過を可能にするためのダクトを備えることができる。タペットをヒンジ部品上に配置されるレセプタクル内に挿入することができ、それにより、タペットはレセプタクルと共に流体ダンパを形成する。
【００１０】
ヒンジ部品を閉じる最中に非常に低い摩擦損失およびノイズだけが引き起こされるようにするため、摺動体は、ボールとして、例えばガイド手段上にわたって案内される金属またはプラスチックから形成される滑らかな面を有するボールとして配置されることが好ましい。
【００１１】
ここで、添付図面に示される実施形態を参照して、本発明を更に詳しく説明する。
【図面の簡単な説明】
【００１２】
【図１】閉位置にある本発明に係る家具ヒンジの側面図を示している。
【図２】図１の家具ヒンジの側断面図を示している。
【図３】図１の家具ヒンジの平面図を示している。
【発明を実施するための形態】
【００１３】
金属及び／又はプラスチックから形成される家具ヒンジ１は、家具カーカスに固定することができる取り付けプレート２を備えており、取り付けプレート２上にはサイド部品３が調整可能に保持される。高さ調整のため、サイド部品３および取り付けプレート２には調整ネジ２０が設けられている。
【００１４】
サイド部品３には支持レバー５およびガイドレバー６を介してポット状ヒンジ部品４が枢動可能に保持されており、このヒンジ部品は家具ドアの凹部に挿入することができる。支持レバー５は、軸７を介してヒンジ部品４と接続されるとともに、軸８を介してサイド部品３と接続され、また、ガイドレバー６は、軸９を介してヒンジ部品４と接続されるとともに、軸１０を介してサイド部品３と接続される。
【００１５】
ヒンジ部品４の閉動作を弱めるためにダンピング要素が設けられており、このダンピング要素はボールの形態を成す摺動体１１を備えている。ダンピング要素はそれぞれ支持レバー５の両側に隣接して設けられており、ダンピング要素は支持レバーの回転軸の延長領域でサイド部品上に配置される。各ダンピング要素は、摺動体１１に加えてタペット１２を備えている。このタペット１２は摺動体１１上に載置しており、タペット１２には摺動体に抗する張力がスプリング１によって予め付与される。タペット１２は、支持レバー５の回転軸に対して約４５°の角度で配置される傾斜接触面１３を形成する。
【００１６】
勿論、家具ヒンジ１のコンパクトな配置のため、ダンピング要素の構成部品が支持レバー５の回転軸８の延長に正確に位置される必要はない。その代わり、回転軸８に近い支持レバー５に隣接するヒンジ部品４の閉位置にダンピング要素が設けられれば十分である。
【００１７】
タペット１２は、ヒンジ部品４上に配置されるレセプタクル１５内に挿入することができる。タペット１２には、摺動体１１に抗して伸張位置へ向かう張力がスプリング１によって予め付与される。閉動作中、支持レバー５は、両側に配置される摺動体１１をタペット１２のそれぞれの接触面１３に抗して押圧し、それにより、タペット１２が支持レバー５の回転軸７，８と垂直な方向でレセプタクル１５内に押し込まれる。開動作中、スプリング１は、タペット１２および摺動体１１を元の伸張位置へと押圧する。この場合、少なくとも摺動体１１は、それらが失われ得ないように緩い態様でヒンジ部品４上をストッパに至るまで移動できる。ポット状ヒンジ部品４の領域に支持レバー５に隣接して２つのダンピング要素を配置することにより、非常にコンパクトな構造とともに、閉位置の直前でダンピングが達成される。
【００１８】
図示の実施形態において、ダンピング要素は、摺動体１１と、タペット１２と、スプリング１とを備えている。無論、リニアダンパ、例えば流体ダンパを更に設けることもできる。また、レセプタクル１５およびタペット１２を流体ダンパとして、特にエアダンパとして配置することができる。この場合、タペット１２のぎくしゃくした動きの場合にレセプタクル１５内に圧力を形成して、スプリング１だけが存在した場合よりも高いダンピング効果を得るために、レセプタクル１５とタペット１２との間にエアダクトが配置される。
【００１９】
摺動体１１をガイド手段（図示せず）により所定の動作経路に沿って案内することができる。特に、動作経路をストッパによって制限することができる。
【００２０】
図示の実施形態において、摺動体１１はダンピング要素のそれぞれを満たす。無論、２つのダンピング要素を摺動体１１を用いて反対方向に効果的に駆動させることもできる。この場合には、非常にコンパクトな構造とともに、更に高いダンピング効果を得ることができる。
【図１】
2010501759.tif 000003
【図２】
2010501759.tif 000004
【図３】
2010501759.tif 000005
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
サイド部品（３）が設けられる取り付けプレート（２）と、
支持レバー（５）およびガイドレバー（６）を介して前記サイド部品（３）に枢動可能に取り付けられるヒンジ部品（４）と
を備え、
前記ヒンジ部品（４）の閉動作を弱めるために、前記支持レバー（５）によって移動できる少なくとも１つのダンピング要素（１１，１２，１４）が設けられ、
前記少なくとも１つのダンピング要素（１１，１２，１４）が、前記支持レバー（５）の回転軸（８）の延長領域で前記支持レバー（５）に隣接して前記サイド部品（３）上に配置される、家具ヒンジ（１）において、
前記少なくとも１つのダンピング要素には、前記支持レバー（５）の動作によって前記支持レバー（５）の回転軸（７，８）の方向で移動され得る摺動体（１１）が設けられることを特徴とする家具ヒンジ。
【請求項２】
前記摺動体（１１）が、前記ダンピング要素のタペット（１２）の接触面（１３）上に載置することを特徴とする請求項１に記載の家具ヒンジ。
【請求項３】
前記タペット（１２）には前記摺動体に抗する張力がスプリングによって予め付与されることを特徴とする請求項２に記載の家具ヒンジ。
【請求項４】
前記接触面（１３）が前記支持レバー（５）の回転軸（８）の方向で斜めに配置され、前記タペット（１２）が前記摺動体（１１）に対して略垂直に移動できることを特徴とする請求項２または３に記載の家具ヒンジ。
【請求項５】
前記ダンピング要素（１１，１２，１４）がそれぞれ前記支持レバー（５）の両側に配置されることを特徴とする請求項１〜４のいずれか一項に記載の家具ヒンジ。
【請求項６】
前記ダンピング要素がリニアダンパ、好ましくは流体ダンパを備えることを特徴とする請求項１〜５のいずれか一項に記載の家具ヒンジ。
【請求項７】
エアの通過を可能にするための少なくとも１つのダクトが前記タペット（１２）に設けられることを特徴とする請求項１〜６のいずれか一項に記載の家具ヒンジ。
【請求項８】
前記摺動体（１１）がボールとして配置されることを特徴とする請求項１〜７のいずれか一項に記載の家具ヒンジ。
【請求項９】
前記タペット（１２）を前記ヒンジ部品（４）上に配置されるレセプタクル（１５）内に挿入できることを特徴とする請求項１〜８のいずれか一項に記載の家具ヒンジ。
【国際調査報告】
2010501759.tif 000006
2010501759.tif 000007
2010501759.tif 000008
2010501759.tif 000009
2010501759.tif 000010
2010501759.tif 000011